(57)【要約】 【課題】スーパー等で長いサイズのごぼうやねぎ、フランスパンなどを購入した時、野菜の一部分がバッグから飛び出していたりした為持ち手に引っかかったり破損したりしていた。【解決手段】バッグ側面に伸縮性のある筒抜けの横向きホルダーを設けた。これによりホルダー開口部から野菜等を挿入するだけで折れたり破損したりすることなく持ち運びが出来るようになった。使用後も野菜などを抜き取るだけでバッグをたたむ時もなんら問題はない。【選択図】  図１
2011062409.tif 000002
【特許請求の範囲】
【請求項１】
バッグ側面に筒抜けの横向きホルダーを設けたことを特徴とするバッグ。
【請求項２】
前記横向きホルダーは開口部及び内容物を安定させることの出来る部位にて弾性素材を組み込み内容物が滑り落ちしにくくしたことを特徴とするバッグ。
【請求項３】
二輪車兼用として平柔軟素材に前記横向きホルダーを設けホルダー付きベースとし一辺をバッグに接合他辺を無接合にして可動可能にし、可動部には二輪車にホルダー付きベースが固定できるフックを設ける。又、弾性素材部には弾性素材を引き締めることのできる部品を設けたことを特徴としたバッグ。
【発明の詳細な説明】
【技術分野】
【０００１】
本発明はスーパーマーケット、小売店、デパート等で買い物をした際、縦や横に長いサイズの物もまとめて収納でき簡単に持ち運びできることを特徴としたバッグに関するものである。          
【背景技術】
【０００２】
従来スーパーマーケットやデパート食品売り場等において買い物をした時、店側から提供されたポリエチレン等のレジ袋に入れて家に持ち帰っていたが近年は環境問題においてごみ減量化を図る為、使い捨てのレジ袋を有料化し繰り返し使用出来る自分専用のバッグを持つことが習慣付けられている。この事により持ちやすさやデザイン性のすぐれたものが多く出回っている。
【先行技術文献】
【特許文献】
【０００３】
【特許文献１】特許公開  ２００９-１６５７１６
【特許文献２】特許公開  ２００８-１２６０４９
【特許文献３】特許公開  ２００８-２３３０５
【特許文献４】特許公開  ２００２-１４２８３１
【特許文献５】実用新案第３０７２９３８
【特許文献６】実用新案第３１３４８８４
【発明の概要】
【発明が解決しようとする課題】
【０００４】
従来からあるバッグで長い野菜や長いフランスパンを持ち帰る時、野菜等の一部分はバッグから飛び出していた為バッグ持ち手部に引っかかったり野菜の一部分が折れてしまったりすることが多々見受けられた。特にレンコン等はふしの部分が弱い為せっかく長いものを買っても家に着くころには折れてしまっていることが常であった。又、自転車等の前かごに購入した荷物を載せた時、大根など長さや重量のある物はハンドルの邪魔になったり、運転のバランスをとりにくくしたりした。本発明はそうした問題を解決するためスーパー等で長いサイズのごぼうやねぎ、大根、セロリ、柔らかいフランスパンを購入した際、傷を付けたり折れ曲がったりの破損を防ぎ、すっきり収納出来て簡単に持ち運びのできることを目的とするバッグに関する物である。
【課題を解決するための手段】
【０００５】
バッグ側面に伸縮性のある筒抜けの横向きホルダーを設けた。ホルダーには両端の開口部及び内容物を安定させることのできる部位で伸縮性のある弾性素材を使用し内容物が飛び出したり滑り落ちたりしないようにした。又、二輪車等の持ち運び使用にはホルダー部の振動が歩行時より大きい為ホルダー部の内容物位置安定を確実にする為開口部の弾性素材にコードストッパーを使用し、より確実に中身を安定させ、さらに振動やカーブを曲がる時の遠心力による内容物の滑り落ちを防ぐ為ホルダー部が二輪車の一部に固定できるフックを設けた。      
【発明の効果】
【０００６】
スーパー等で買い物をした時、長い野菜やパン等は持ち帰る時バッグから飛び出していた為持ち手に引っかかったり折れてしまったりすることが多々見受けられた。又、大根など重量もある長い野菜によってバッグのバランスが崩れバッグの中の他の物が押しつぶされてしまうこともあった。そうした破損を防ぐ為、破損影響の少ないバッグ側面に伸縮性のある筒抜けの横向きホルダーを設けた。これにより大根、ねぎ等は伸縮性のあるホルダー開口部から差し込むだけで野菜をしっかり保持させることができる。又、二輪車等においては弾性素材にコードストッパーを使用し、より確実に中身を安定させさらに振動やカーブを曲がる時の遠心力による中身の滑り落ちを防ぐ為ホルダー部が二輪車の一部に固定できるフックを設けた。これにより差し込むだけ、抜き取るだけの簡単な行為で長い野菜も破損することなく持ち運びが出来るようになる。
【図面の簡単な説明】
【０００７】
【図１】横向きホルダー付き買い物バッグ斜視図
【図２】横向きホルダー付き買い物バッグ側面図
【図３】二輪車兼用ホルダー付きベース
【図４】バッグに二輪車兼用ホルダー付きベースを付けた斜視図
【図５】バッグに二輪車兼用ホルダー付きベースを付けた側面図
【図６】横向きホルダー付き買い物バッグ斜視図と挿入できる内容物の一例
【図７】二輪車兼用ホルダー付きベースを付けたバッグを自転車に乗せた図
【発明を実施するための形態】
【０００８】
買い物バッグ側面に伸縮性のある筒抜けの横向きホルダーを設け、ホルダー開口部は大根等が出し入れしやすい寸法とし又、内容物の滑り落ち防止の為開口部及び内容物を安定させることの出来る部位に弾性素材を組み入れる。又、二輪車兼用として平らな柔軟素材を土台に伸縮性のある横向きの筒抜けホルダーを設け、二輪車兼用ホルダー付きベースとし、一辺を買い物バッグ本体側面に接合し、他辺を無接合として二輪車兼用ホルダー付きベースを可動可能とする。可動部には二輪車に固定できる部品を設け、二輪車使用時は可動部を二輪車かご前面外部、又はバッグ上部被服して二輪車固定部品でホルダー付きベースを二輪車に固定することが出来るようにする。二輪車兼用ホルダー付きベースも開口部及び内容物を安定させることの出来る部位には弾性素材を組み込みさらに弾性素材の一部に弾性素材を引き締めることの出来るコードストッパー等の部品を使ってホルダーに挿入した内容物が弾性素材のみの安定よりさらに安定性を高めることが出来るようにした。
【実施例】
【０００９】
以下、図６、図４ともとずいて説明する。買い物をした後買い物バッグにて持ち帰る際、図６においてバッグ側面に設けられた横向きホルダー3の開口部より、一例として図示した大根、レンコン、花束等を挿入すればホルダー部４の弾性素材によって安定確保が出来、滑り落ちしにくく、折れたり、破損したりすることなく持ち帰ることが出来る。帰着した後は開口部どちらからでも簡単に抜き取ることが出来買い物バッグをたたむ際もホルダー部が柔軟なためなんら問題なくたたむことが出来る。図４においては買い物後二輪車を使用する場合、バッグ側面に設けられた二輪車兼用ホルダー付きベース6を二輪車カゴの前面に渡しホルダー部５にて６を二輪車カゴに安定させる。さらに二輪車においてはホルダー挿入物の安定確保を高める為、弾性素材４を７にて引き締める。  
【産業上の利用可能性】
【００１０】
近年環境問題においてゴミの減量化を図るためスーパー等のレジ袋が廃止され反復使用できる自分専用の買い物バッグが多く普及してきた。そうした中買い物バッグの機能性、収納性、デザイン性を考慮したものが多く出回るようになった。本発明は以上の機能性に実用性を持たせた物で長い野菜や、パンを破損することなく持ち帰りたいという悩みを解決した利用可能性の高いものである。
【符号の説明】
【００１１】
１.巾着式買い物バッグ
２.巾着式買い物バッグ持ち手
３.筒抜け横向きホルダー胴部
４.筒抜け横向きホルダー弾性素材組み込み部
５.平柔軟素材に筒抜け横向きホルダーを付けたホルダー付きベース
６.二輪車兼用固定フック
７.弾性素材引き締め部品
【図１】
2011062409.tif 000003
【図２】
2011062409.tif 000004
【図３】
2011062409.tif 000005
【図４】
2011062409.tif 000006
【図５】
2011062409.tif 000007
【図６】
2011062409.tif 000008
【図７】
2011062409.tif 000009